(57)【要約】【課題】本考案は、チラシ等が取り出しやすいポスティング用バッグを提案することを課題とする。【解決手段】本考案に係るポスティング用バッグは、バッグ本体の左右のマチのいずれか又はその両方が、該マチの所定の上端から底方向の所望の位置まで前後に分割されて上前マチと上後マチを形成し、上前マチと上後マチとが互いに着脱自在な雌雄一対の留め具を取付けたことを特徴とする。【選択図】図１
0003203096.tif 000002
【実用新案登録請求の範囲】
【請求項１】
バッグ本体の左右に備えるマチのいずれか又はその両方が、該マチの所定の上端から底方向の所望の位置まで前後に分割されて上前マチと上後マチを形成し、前記上前マチと前記上後マチとが互いに着脱自在な雌雄一対の留め具を取付けたことを特徴とするポスティング用バッグ。
【請求項２】
前記留め具は点ファスナ、面ファスナ又は線ファスナのいずれか又はこれらの組み合わせであることを特徴とする請求項１に記載のポスティング用バッグ。
【考案の詳細な説明】
【技術分野】
【０００１】
本考案は、チラシ等を取り出しやすいポスティング用バッグに関する。
【背景技術】
【０００２】
従来、広告・宣伝を目的に、ビラやチラシを各個宅の郵便受けへ直接投入する場合、チラシ等を保持するために、リュックサックやショルダーバッグを使用することが多い。しかし、リュックサックの場合は、両手が使用できるものの、使用者がチラシ等を配布する際に、前もってリュックサックを肩から外して開口した上でチラシ等を取り出し、手に持ち直す煩わしさがある。ショルダーバッグの場合は、バッグを肩にかけたまま、バッグ本体を開いた状態であればチラシ等を取り出すことができるものの、市販されている通常のショルダーバッグは開口部が狭く手を入れてチラシを取り出しにくいという問題がある。
【０００３】
これらの問題を解決するものとして、図８に示すようなチラシ配布専用のショルダーバッグＸが市販されている。図８に示すショルダーバッグＸは、箱状に縫製され、チラシ等をスッポリ収納でき、開口Ｏを大きく開くことができる。
【考案の概要】
【考案が解決しようとする課題】
【０００４】
しかし、上記のチラシ配布専用のショルダーバッグＸであっても、チラシ等を取り出す場合、開口Ｏに対して略垂直に取り出す必要があり、取り出しにくさは解消されていない。そこで、このような問題に鑑み、チラシ等が取り出しやすいポスティング用バッグを提案することを課題とする。
【課題を解決するための手段】
【０００５】
本考案に係るポスティング用バッグは、バッグ本体の左右のマチのいずれか又はその両方が、該マチの所定の上端から底方向の所望の位置まで前後に分割されて上前マチと上後マチを形成し、上前マチと上後マチとが互いに着脱自在な雌雄一対の留め具を取付けたことを特徴とする。なお、留め具は、脱着が容易な点ファスナ、面ファスナ又は線ファスナのいずれか又はこれらの組み合わせを採用することができる。
【考案の効果】
【０００６】
本考案に係るポスティング用バッグによれば、チラシ等が取り出しやすいため、使用者の負担が少なく、ポスティングの効率を上げることができる。
【図面の簡単な説明】
【０００７】
【図１】本考案に係るポスティング用バッグ１の一例を示す斜視図である。
【図２】本考案に係るポスティング用バッグ１の一例を示す側面図である。
【図３】本考案に係るポスティング用バッグ１の一例を示す平面図である。
【図４】本考案に係るポスティング用バッグ１からチラシを取り出す様子を示す図である。
【図５】本考案に係るポスティング用バッグ２の変形形態を示す斜視図である。
【図６】本考案に係るポスティング用バッグ２の変形形態を示す側面図である。
【図７】本考案に係るポスティング用バッグ２の変形形態を示す平面図である。
【図８】従来のチラシ配布専用のショルダーバッグＸを示す図である。
【考案を実施するための形態】
【０００８】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【０００９】
実施例１を図面を参照して詳細に説明する。図１は、本考案に係るポスティング用バッグの一例を示す斜視図である。図２は、本考案に係るポスティング用バッグの一例を示す側面図である。図３は、本考案に係るポスティング用バッグの一例を示す平面図である。ここで、ポスティング用バッグの側面がマチに該当する。したがって、前は正面側を、後は背面側を意味する。
【００１０】
まず、ポスティング用バッグ１の全体構成を説明する。図１と図２を参照する。本考案のポスティング用バッグ１は、バッグ本体の左右に備えるマチのいずれか又はその両方が、該マチの所定の上端から底方向の所望の位置まで前後に分割されて上前マチ１１と上後マチ１２を形成している。また、図２に示すとおり、上前マチ１１と上後マチ１２とは互いに着脱自在な雌雄一対の留め具１１０、１２０が取付けられている。なお、図１（ａ）及び図２（ａ）は、上前マチ１１と上後マチ１２とが閉じられた状態を示し、図１（ｂ）及び図２（ｂ）は、上前マチ１１と上後マチ１２とが開いてマチ開口１００を形成した状態を示している。実施例１において、留め具１１０、１２０は、雌雄一対の点ファスナを用いているが限定されない。また、実施例１においては、マチを所定の上端から底方向の所望の位置まで前後に分割し、上前マチ１１の裏縁に留め具としてスナップボタン（雄）１１０を配置し、上後マチ１２の表縁に留め具としてスナップボタン（雌）１２０を配置している。そのため、図２（ａ）に示すとおり、雌雄一対の留め具１１０、１２０を互いに留めると、上前マチ１１と上後マチ１２の縁部は重畳していることが理解できるであろう。なお、上前マチ１１と上後マチ１２のいずれかに補助マチを取り付けて、補助マチの表又は裏に留め具１１０、１２０を備えるようにしてもよい。
【００１１】
図３を参照する。図３（ａ）は、上前マチ１１と上後マチ１２とが閉じられた状態を示し、図３（ｂ）は、上前マチ１１と上後マチ１２とが開いてマチ開口１００を形成した状態を示している。図１及び２に示したとおり、図３（ａ）の閉鎖状態で、上前マチ１１の留め具としてスナップボタン（雄）１１０と上後マチ１２の留め具としてスナップボタン（雌）１２０とを開放し、上前マチ１１と上後マチ１２とを開くと、図３（ｂ）に示すとおり、マチ開口１００が形成される。
【００１２】
図４を参照する。図４は、本考案に係るポスティング用バッグ１からチラシＰを取り出す様子を示す図である。図４に示すとおり、ポスティング用バッグ１は、上前マチ１１の留め具としてスナップボタン（雄）１１０と上後マチ１２の留め具としてスナップボタン（雌）１２０とを開放し、上前マチ１１と上後マチ１２とを開くと、マチ開口１００が形成されるので、マチ開口１００に使用者は手を斜め上から挿入してチラシＰ等を掴み、斜め上に取り出すことができる。
【実施例２】
【００１３】
実施例２を図面を参照して詳細に説明する。実施例２に係るポスティング用バッグ２は、ポスティング用バッグ１の変形形態である。図５は、本考案に係るポスティング用バッグ２の一例を示す斜視図である。図６は、本考案に係るポスティング用バッグ２の一例を示す側面図である。図７は、本考案に係るポスティング用バッグ２の一例を示す平面図である。
【００１４】
まず、ポスティング用バッグ２の全体構成を説明する。図５と図６を参照する。本考案のポスティング用バッグ２は、バッグ本体２０の左右に備えるマチのいずれか又はその両方が、該マチの所定の上端から底方向の所望の位置まで前後に分割されて上前マチ２１と上後マチ２２を形成している。また、図６に示すとおり、上前マチ２１と上後マチ２２とは互いに着脱自在な雌雄一対の留め具２１０、２２０が取付けられている。なお、図５（ａ）及び図６（ａ）は、上前マチ２１と上後マチ２２とが閉じられた状態を示し、図５（ｂ）及び図６（ｂ）は、上前マチ２１と上後マチ２２とが開いてマチ開口２００を形成した状態を示している。実施例２において、留め具２１０、２２０は、雌雄一対の面ファスナを用いているが限定されない。ジッパー（登録商標）のような線ファスナを用いてもよいし、実施例１に示した点ファスナと面ファスナの組み合わせ等であってもよい。また、実施例２においては、マチを所定の上端から底方向の所望の位置まで前後に分割し、上前マチ２１の裏縁に留め具２１０を配置し、上後マチ２２の表縁に留め具２２０を配置している。そのため、図６（ａ）に示すとおり、雌雄一対の留め具２１０、２２０を互いに留めると、上前マチ２１と上後マチ２２の縁部は重畳していることが理解できるであろう。なお、上前マチ２１と上後マチ２２のいずれかに補助マチを取り付けて、補助マチの表又は裏に留め具２１０、２２０を備えるようにしてもよい。
【００１５】
図７を参照する。図７（ａ）は、上前マチ２１と上後マチ２２とが閉じられた状態を示し、図７（ｂ）は、上前マチ２１と上後マチ２２とが開いてマチ開口２００を形成した状態を示している。図５及び６に示したとおり、図７（ａ）の閉鎖状態で、上前マチ２１の留め具２１０と上後マチ２２の留め具２２０とを開放し、上前マチ２１と上後マチ２２とを開くと、図７（ｂ）に示すとおり、マチ開口２００が形成される。
【００１６】
本考案に係るポスティング用バッグ２からチラシＰを取り出す様子は、図４と略同様であるので説明は省略する。
【００１７】
以上、本考案に係るポスティング用バッグにおける好ましい実施形態を図示して説明してきたが、本考案の技術的範囲を逸脱することなく種々の変更が可能であることは理解されるであろう。
【産業上の利用可能性】
【００１８】
本考案に係るポスティング用バッグは、構造が簡易で、収容物を容易に出し入れできるので、チラシ配布用のみならず、買い物用のバッグやペットを収容するバッグとしても広く利用することができる。
【符号の説明】
【００１９】
１  ２  ポスティング用バッグ
１０  ２０  バッグ本体
１１  ２１  上前マチ
１２  ２２  上後マチ
１１０  点ファスナ（雄）  
１２０  点ファスナ（雌）
２１０  面ファスナ（雄）  
２２０  面ファスナ（雌）
１００  ２００  マチ開口
【図１】
0003203096.tif 000003
【図２】
0003203096.tif 000004
【図３】
0003203096.tif 000005
【図４】
0003203096.tif 000006
【図５】
0003203096.tif 000007
【図６】
0003203096.tif 000008
【図７】
0003203096.tif 000009
【図８】
0003203096.tif 000010